(57)【要約】【課題】  従来の検索では、面白いか否かに拘わらず番組を全て視聴しようとするときには、番組の始めから終わりまでの間、録画又は録音したときの速度と同一な速度で視聴しなければならず、視聴時間を短縮することができなかった。【解決手段】  本発明に係る番組の編集再生方法は、送信される番組の内容を録画又は録音する工程と、前記録画又は録音された番組を当該番組の視聴率の大きさに応じた速度で再生可能に編集し又は再生する工程とを含む。【選択図】  図１
2006054631.tif 000002
【特許請求の範囲】
【請求項１】
送信される番組の内容を録画又は録音する工程と、
前記録画又は録音された番組を当該番組の視聴率の大きさに応じた速度で再生可能に編集し又は再生する工程とを含むことを特徴とする番組の編集再生方法。
【請求項２】
前記番組の視聴率は、前記番組について視聴者が有する属性に基き分類された視聴者毎の番組の視聴率であることを特徴とする請求項１記載の番組の編集再生方法。
【請求項３】
番組を送信する番組サーバ装置と、
前記番組を受信する複数の第１のクライアント装置と、
前記複数の第１のクライアント装置から収集する前記番組の視聴率の算出に必要な情報に基づき算出する前記視聴率を送信する視聴率サーバ装置と、
前記番組サーバ装置から受信した前記番組を録画又は録音し、当該録画又は録音された番組を、前記視聴率サーバ装置から受信した前記番組の視聴率の大きさに応じた速度で再生可能に編集し又は再生する第２のクライアント装置とを含むことを特徴とする番組の編集再生システム。
【請求項４】
前記番組の視聴率は、前記番組について前記複数の第１のクライアント装置が有する属性に基き分類された前記複数の第１のクライアント装置毎の番組の視聴率であることを特徴とする請求項３記載の番組の編集再生システム。
【請求項５】
番組を送信する番組送信サーバ装置と、
前記番組を受信する複数の第１のクライアント装置と、
前記複数の第１のクライアント装置から収集する前記番組の視聴率の算出に必要な情報に基づき算出する前記視聴率を送信する視聴率サーバ装置と、
前記番組を前記番組の視聴率の大きさに応じた速度で再生可能に編集する番組編集サーバ装置と、
前記番組編集サーバ装置から前記編集された番組を受信し、当該番組を前記視聴率の大きさに応じた前記速度で再生する第２のクライアント装置とを含むことを特徴とする番組の編集再生システム。
【請求項６】
前記番組の視聴率は、前記番組について前記複数の第１のクライアント装置が有する属性に基き分類された前記複数の第１のクライアント装置毎の番組の視聴率であることを特徴とする請求項５記載の番組の編集再生システム。
【請求項７】
番組サーバ装置に番組を送信させる工程と、
複数の第１のクライアント装置及び第２のクライアント装置に、前記番組を受信させる工程と、
視聴率サーバ装置に、前記複数の第１のクライアント装置から収集する前記番組の視聴率の算出に必要な情報に基づき算出する前記視聴率を前記第２のクライアント装置に送信させる工程と、
前記第２のクライアント装置に、前記番組サーバ装置から受信した前記番組を録画又は録音させ、当該録画又は録音された番組を、前記視聴率サーバ装置から受信した前記番組の視聴率の大きさに応じた速度で再生可能に編集し又は再生させる工程とを含む番組の編集再生プログラム。
【請求項８】
前記番組の視聴率は、前記番組について前記複数の第１のクライアント装置が有する属性に基き分類された前記複数の第１のクライアント装置毎の番組の視聴率であることを特徴とする請求項７記載の番組の編集再生プログラム。
【請求項９】
番組送信サーバ装置に番組を送信させる工程と、
複数の第１のクライアント装置に前記番組を受信させる工程と、
視聴率サーバ装置に、前記複数の第１のクライアント装置から収集する前記番組の視聴率の算出に必要な情報に基づき算出する前記視聴率を送信させる工程と、
番組編集サーバ装置に、前記番組を前記番組の視聴率の大きさに応じた速度で再生可能に編集させる工程と、
第２のクライアント装置に、前記番組編集サーバ装置から前記編集された番組を受信させ、当該番組を前記視聴率の大きさに応じた前記速度で再生させる工程とを含むことを特徴とする番組の編集再生プログラム。
【請求項１０】
前記番組の視聴率は、前記番組について前記複数の第１のクライアント装置が有する属性に基き分類された前記複数の第１のクライアント装置毎の番組の視聴率であることを特徴とする請求項９記載の番組の編集再生プログラム。
【発明の詳細な説明】
【技術分野】
【０００１】
本発明は、テレビ番組及びラジオ番組のような放送又は有線放送される番組を編集し又は再生する番組の編集再生方法、及び当該編集再生方法を使用する編集再生システムに関する。
【背景技術】
【０００２】
従来、例えば、下記の特許文献１に記載の録画シーン検索方法では、録画した番組、例えば、野球及びサッカー等の試合の番組に、”ホームラン”、”ゴール”等のような番組中の最も注目度が高いシーンで発生する言葉を音声認識技術により認識し、当該認識された言葉を当該番組における前記注目度が高いシーンの検索に役立つインデックス情報として付与し、これにより、前記番組の中から最も面白そうなシーンを検索することを容易にしている。
【０００３】
【特許文献１】特開２００２−１３３８３７号公報
【発明の開示】
【発明が解決しようとする課題】
【０００４】
しかしながら、上記した従来の検索では、前記インデックス情報に基づき検索されたシーンのみを視聴することにより視聴時間を短縮することができるものの、面白いか否かに拘わらず前記番組を全て視聴しようとするときには、前記番組の始めから終わりまでの間、録画又は録音したときの速度と同一な速度で視聴しなければならず、視聴時間を短縮することができないという問題があった。
【課題を解決するための手段】
【０００５】
本発明に係る番組の編集再生方法は、上記した課題を解決すべく、送信される番組の内容を録画又は録音する工程と、前記録画又は録音された番組を当該番組の視聴率の大きさに応じた速度で再生可能に編集し又は再生する工程とを含む。
【０００６】
本発明に係る番組の編集再生方法によれば、前記録画又は録音された番組を、当該番組の視聴率の大きさに応じた速度で再生可能に編集し又は再生することから、番組を始めから終わりまで同一な速度で再生していた従来の方法と異なり、前記番組全体を視聴するために要する視聴時間を短縮することが可能となる。
【０００７】
本発明に係る第１の番組の編集再生システムは、番組を送信する番組サーバ装置と、前記番組を受信する複数の第１のクライアント装置と、前記複数の第１のクライアント装置から収集する前記番組の視聴率の算出に必要な情報に基づき算出する前記視聴率を送信する視聴率サーバ装置と、前記番組サーバ装置から受信した前記番組を録画又は録音し、当該録画又は録音された番組を、前記視聴率サーバ装置から受信した前記番組の視聴率の大きさに応じた速度で再生可能に編集し又は再生する第２のクライアント装置とを含む。
【０００８】
本発明に係る第２の番組の編集再生システムは、番組を送信する番組送信サーバ装置と、前記番組を受信する複数の第１のクライアント装置と、前記複数の第１のクライアント装置から収集する前記番組の視聴率の算出に必要な情報に基づき算出する前記視聴率を送信する視聴率サーバ装置と、前記番組を前記番組の視聴率の大きさに応じた速度で再生可能に編集する番組編集サーバ装置と、前記番組編集サーバ装置から前記編集された番組を受信し、当該番組を前記視聴率の大きさに応じた前記速度で再生する第２のクライアント装置とを含む。
【０００９】
本発明に係る第１の番組の編集再生プログラムは、番組サーバ装置に番組を送信させる工程と、複数の第１のクライアント装置及び第２のクライアント装置に、前記番組を受信させる工程と、視聴率サーバ装置に、前記複数の第１のクライアント装置から収集する前記番組の視聴率の算出に必要な情報に基づき算出する前記視聴率を前記第２のクライアント装置に送信させる工程と、前記第２のクライアント装置に、前記番組サーバ装置から受信した前記番組を録画又は録音させ、当該録画又は録音された番組を、前記視聴率サーバ装置から受信した前記番組の視聴率の大きさに応じた速度で再生可能に編集し又は再生させる工程とを含む。
【００１０】
本発明に係る第２の番組の編集再生プログラムは、番組送信サーバ装置に番組を送信させる工程と、複数の第１のクライアント装置に前記番組を受信させる工程と、視聴率サーバ装置に、前記複数の第１のクライアント装置から収集する前記番組の視聴率の算出に必要な情報に基づき算出する前記視聴率を送信させる工程と、番組編集サーバ装置に、前記番組を前記番組の視聴率の大きさに応じた速度で再生可能に編集させる工程と、第２のクライアント装置に、前記番組編集サーバ装置から前記編集された番組を受信させ、当該番組を前記視聴率の大きさに応じた前記速度で再生させる工程とを含む。
【００１１】
本発明に係る番組の編集再生方法、第１及び第２の番組の編集再生システム、並びに、第１及び第２の番組の編集再生プログラムでは、前記番組の視聴率は、前記番組について視聴者又は前記複数の第１のクライアント装置が有する属性に基き分類された視聴者又は前記複数の第１のクライアント装置毎の番組の視聴率である。
【発明を実施するための最良の形態】
【００１２】
本発明に係る番組の編集再生システムの実施例について図面を参照して説明する。
《構成》
本発明に係る実施例の番組の編集再生システム１は、送信された番組であって録画又は録音された前記番組を、当該番組の視聴率の大きさに応じた速度で再生可能に編集し又は再生すべく、図１に示されるように、番組サーバ装置２と、視聴率サーバ装置３と、第１の複数のクライアント装置４〜７と、少なくとも一つ以上の第２のクライアント装置８〜１０とを含み、番組サーバ装置２と、視聴率サーバ装置３と、第１のクライアント装置４〜７と、第２のクライアント装置８〜１０とは、ネットワーク１１を介して相互に接続されている。
【００１３】
番組サーバ装置２は、図１に示されるように、通信部２０と、処理部２１と、記憶部２２とを有する。
【００１４】
通信部２０は、例えば、テレビ放送網及びコンピュータネットワーク等であるネットワーク１１を介して、記憶部２２が記憶する映画、ドラマ等、又は実時間（リアルタイム）で行われているスポーツの試合等のテレビ番組を、第１のクライアント装置４〜７、及び第２のクライアント装置８〜１０へ放送（無線放送及び有線放送の両方を含む。）する。
【００１５】
処理部２１は、例えば、アナログ／デジタル変換、デジタル／アナログ変換、符号器、復号器等を有し、通信部２０によるテレビ番組の放送に必要な処理を行う。
【００１６】
記憶部２２は、複数のテレビ番組、例えば、映画、音楽、バラエティ、ドラマ等のテレビ番組を予め記憶しており、また、通信部２０の通信動作及び処理部２１の処理動作を規定するプログラムを記憶している。
【００１７】
視聴率サーバ装置３は、図１に示されるように、番組サーバ装置２と同様に、通信部３０と、処理部３１と、記憶部３２とを有する。
【００１８】
通信部３０は、ネットワーク１１を介して、番組サーバ装置２からテレビ番組を受信し当該テレビ番組を視聴した第１のクライアント装置４〜７から、上記した視聴率の算出に必要な、視聴に関する情報（以下、「視聴情報」という。）を受信し、また、当該視聴情報に基き処理部３１が算出した視聴率を第２のクライアント装置８〜１０へ送出する。ここで、「視聴情報」とは、各クライアント装置４〜１０が視聴している番組のジャンル、その内訳、視聴開始時刻、視聴終了時刻、視聴時間等の情報をいう。
【００１９】
処理部３１は、上記したように、第１のクライアント装置４〜７から収集した視聴情報を用いて視聴率を算出する。
【００２０】
記憶部３２は、図３に図示の各クライアント装置４〜１０の好みのジャンル及び程度、即ち、番組についての各クライアント装置４〜１０の属性を示す表、第１のクライアント装置４〜７から受信した視聴情報、処理部３１により算出された視聴率、通信部３０の通信機能及び処理部３１の処理機能を規定するプログラムを記憶する。
【００２１】
第１のクライアント装置４は、入力部４０と、通信部４１と、処理部４２と、記憶部４３と、出力部４４とを有する。
【００２２】
入力部４０は、例えば、ボタン、マウス、又はキーボードであり、番組サーバ装置２が提供可能なテレビ番組のうち、ユーザが好むテレビ番組を指定するために用いられる。
【００２３】
通信部４１は、ネットワーク１１を介して、番組サーバ装置２から、テレビ番組を受信し、また、ネットワーク１１を介して、視聴率サーバ装置３へ視聴情報を送信する。
【００２４】
処理部４２は、前記番組サーバ装置２から受信したテレビ番組の視聴の結果として、視聴情報を生成する。
【００２５】
記憶部４３は、通信部４１及び処理部４２の動作を規定するプログラムを記憶している。
【００２６】
出力部４４は、例えば、液晶モニタ又はＣＲＴモニタであり、番組サーバ装置２から受信したテレビ番組を表示する。
【００２７】
他の第１のクライアント装置５〜７もまた、第１のクライアント装置４と同様な構成を有する。
【００２８】
第２のクライアント装置８は、第１のクライアント装置４〜７と同様な構成を有しており、入力部８０と、通信部８１と、処理部８２と、記憶部８３と、出力部８４とを有する。
【００２９】
入力部８０は、入力部４０と同様に、ボタン、マウス又はキーボードからなり、ユーザが好むテレビ番組を指定するために用いられる。
【００３０】
通信部８１は、ネットワーク１１を介して、番組サーバ装置２からテレビ番組を受信し、また、視聴率サーバ装置３から視聴率を受信する。
【００３１】
処理部８２は、記憶部８３に録画又は録音されたテレビ番組の内容を、視聴率サーバ装置３から受信した視聴率の大きさに応じた速度で再生可能に編集し又は再生する。
【００３２】
記憶部８３は、番組サーバ装置２から受信したテレビ番組、処理部８２により編集されたテレビ番組、並びに通信部８１の通信動作及び処理部８２の処理動作を規定するプログラムを記憶する。
【００３３】
出力部８４は、記憶部８３に記憶されている、処理部８２により編集されたテレビ番組の内容を表示する。
【００３４】
《動作》
実施例の番組の編集再生システムでのクライアント装置を分類する動作について図２に沿って説明する。
【００３５】
工程Ｓ１０：視聴率サーバ装置３は、第１のクライアント装置４〜７及び第２のクライアント装置８〜１０に、各クライアント装置が興味を持つジャンル、例えば、スポーツ、映画、音楽、バラエティ、ドラマ等のジャンルを通知するように要求する。
【００３６】
工程Ｓ１１：第１のクライアント装置４〜７及び第２のクライアント装置８〜１０は、図３に示されるように、好みのジャンルについての詳細の内容（例えば、スポーツについての野球、サッカー等）、及びその程度を視聴率サーバ装置３に送信する。例えば、クライアント装置４は、視聴率サーバ装置３に、スポーツの番組に関し、「野球」について「極めて興味がある（０．８）」旨、「サッカー」について「普通に興味がある（０．５）」旨、「テニス」について「あまり興味がない（０．２）」旨を通知する。
【００３７】
工程Ｓ１２：視聴率サーバ装置３は、第１のクライアント装置４〜７及び第２のクライアント装置８〜１０から受信する、各クライアント装置の好みのジャンル及びその程度についての情報を整理することにより、図３に図示のような「クライアント装置と、好みのジャンル及びその程度との関係」を示す表を作成し、当該表を記憶部３２に格納する。視聴率サーバ装置３は、必要に応じて、ジャンル毎（スポーツ、映画等毎）に、またはジャンルの内訳毎（野球、サッカー等毎）に、クライアント装置４〜１０をクラスタリング（分類）する。視聴率サーバ装置３は、ジャンル毎に又はその内訳毎にクラスタリングすることに代えて又は加えて、クライアント装置のユーザの年齢、性別、居住地域、利用頻度毎にクラスタリングすることも可能である。
【００３８】
実施例の番組の編集再生システムでのクライアント装置の視聴率に基く番組の編集再生について図４に沿って説明する。
【００３９】
工程Ｓ２０：番組サーバ装置２は、クライアント装置４〜１０からの要求に応じて、テレビ番組、例えば、クライアント装置４〜１０に野球の試合を送信する。
【００４０】
工程Ｓ２１：第１のクライアント装置４〜７は、前記野球の試合を実時間（リアルタイム）で受信しながら視聴し、その結果として、当該野球の試合についての視聴情報を視聴率サーバ装置３に送信する。他方で、第２のクライアント装置８〜１０は、前記野球の試合を、当該野球の試合を視聴することなく録画又は録音する。
【００４１】
工程Ｓ２２：視聴率サーバ装置３は、第１のクライアント装置４〜７から収集した視聴情報に基き、図５に示されるように、野球の試合についての視聴率を算出する。図５では、野球の試合を見ている不特定人のクライアント装置の視聴率が、１０％近辺で殆ど変化しないこととは対照的に、野球への興味が強い（興味の程度が０．６〜１．０である）特定人（野球ファン）のクライアント装置の視聴率が、２０％を中心に大きく揺動して変化していることが示されている。
【００４２】
工程Ｓ２３：第２のクライアント装置８〜１０は、前記野球の試合の放送が終了すると、視聴率サーバ装置３に、図５に図示された前記視聴率を当該第２のクライアント装置８〜１０に送信することを要求する。視聴率サーバ装置３は、前記視聴率の送信の要求を受信すると、前記第２のクライアント装置８〜１０に、前記視聴率を送信する。
【００４３】
工程Ｓ２４：第２のクライアント装置８〜１０は、前記視聴率を受信すると、図６に図示された、視聴率と再生速度との関係に従って、前記視聴率の大きさに対応する再生速度を求める。第２のクライアント装置８〜１０は、より具体的には、視聴率１０％に対応する再生速度１５倍を求め、視聴率２０％に対応する再生速度３倍を求め、視聴率３０％に対応する再生速度１倍を求める。
【００４４】
工程Ｓ２５：第２のクライアント装置８〜１０は、前記再生速度を求めると、前記野球の試合を当該再生速度に従って編集する。前記野球の試合が、例えば、図７に図示された、従来知られたＭＰＥＧファイルの基本単位であるＧＯＰ（Group Of Pictures）からなり、当該ＧＯＰが、１枚のＩピクチャ、４枚のＰピクチャ、１０枚のＢピクチャ（合計１５枚のピクチャ）から構成されていることを想定すると、第２のクライアント装置８〜１０は、１０％、２０％、３０％等の視聴率に対応する再生速度１５倍、３倍、１倍に従って、前記視聴率に対応する部分の野球の試合の再生速度が変わるように編集し、具体的には、図８（Ａ）、（Ｂ）、（Ｃ）に示されるように、視聴率が１０％である部分の野球の試合をＩピクチャだけで構成し（１５倍にする）、視聴率が２０％である部分の野球の試合をＩピクチャ及びＰピクチャで構成し（３倍にする）、視聴率が３０％である部分の野球の試合をＩピクチャ、Ｐピクチャ及びＢピクチャで構成する（１倍にする）。
【００４５】
工程Ｓ２６：第２のクライアント装置８〜１０は、図８（Ａ）、（Ｂ）、（Ｃ）に示されたように編集された野球の試合を再生する。これにより、図５に示されるように、例えば、視聴者を不特定人とする視聴率に基く場合には、０〜１２０分間に亘って視聴率１０％程度の画像を再生速度１５倍で再生し、他方で、視聴率を特定人とする視聴率に基く場合には、１０〜２０分間における視聴率３０％程度の画像を再生速度１倍で再生し、また、３０〜５０分間における視聴率２０％程度の画像を再生速度３倍で再生する。
【００４６】
上述したように、実施例の番組の編集再生システム１では、番組サーバ装置２が野球の試合を放送し、第１のクライアント装置４〜７が前記野球の試合を視聴し、当該視聴の結果である視聴情報を視聴率サーバ装置３に送信し、他方で、第２のクライアント装置８〜１０が前記野球の試合を録画又は録音する。視聴率サーバ装置３は、第１のクライアント装置４〜７から受信する、野球の試合についての視聴情報を基に視聴率を算出し、前記第２のクライアント装置８〜１０からの求めに応じて当該視聴率を前記第２のクライアント装置８〜１０に送信し、当該第２のクライアント装置８〜１０は、当該視聴率の大きさに対応する再生速度に従って、前記録画又は録音した野球の試合の再生速度に変更を施して編集する。これにより、第２のクライアント装置８〜１０は、第１のクライアント装置４〜７の視聴状況により定まる前記視聴率に対応する再生速度で前記野球の試合を再生することができ、より具体的には、視聴率が高い部分の野球の試合ほど、ゆっくりと時間を掛けて再生することにより、視聴率が高い部分の楽しさを充分に享受し、他方で、視聴率が低い部分の野球の試合ほど、速い速度で早送りすることにより、視聴率が低い部分の退屈さを回避することができる。
【００４７】
〈変形例〉
上記した実施例の番組の編集再生システム１の構成に加えて、前記視聴率サーバ装置３が算出する前記視聴率の大きさに対応した再生速度で再生可能に野球の試合を編集する番組編集サーバ装置を有し、前記第２のクライアント装置８〜１０が、前記番組編集サーバから受信する、編集された野球の試合を、前記再生速度で再生することによっても、上記したと同様な効果を得ることが可能である。
【図面の簡単な説明】
【００４８】
【図１】実施例の番組の編集再生システムの構成を示す図。
【図２】実施例の番組の編集再生システムの分類動作を示す図。
【図３】実施例の好みのジャンルと好みの程度との関係を示す図。
【図４】実施例の番組の編集再生システムの編集再生動作を示す図。
【図５】実施例の番組の編集再生システムでの視聴率の算出動作を示す図。
【図６】実施例の番組の編集再生システムでの視聴率と再生速度との関係を示す図。
【図７】実施例の番組の編集再生システムでのＭＰＥＧファイルの画像の構成を示す図。
【図８】実施例の番組の編集再生システムでの編集された画像の構成を示す図。
【符号の説明】
【００４９】
１  番組編集システム    ２  番組サーバ装置    ３  視聴率サーバ装置    ４〜７  第１のクライアント装置    ８〜１０  第２のクライアント装置    １１  ネットワーク。
【図１】
2006054631.tif 000003
【図２】
2006054631.tif 000004
【図３】
2006054631.tif 000005
【図４】
2006054631.tif 000006
【図５】
2006054631.tif 000007
【図６】
2006054631.tif 000008
【図７】
2006054631.tif 000009
【図８】
2006054631.tif 000010